(57)【特許請求の範囲】
【請求項１】
ヘッダ領域に撮影開始時刻が記録され、前記ヘッダ領域の後にタイムスタンプが記録され、通常撮影時は前記ヘッダ領域に通常撮影のフラグが記録され、インターバル撮影時は前記ヘッダ領域にインターバル撮影の時間係数を示す設定情報が記録されたＡＳＦフォーマットに準拠した動画カメラの画像表示装置であって、
通常撮影か、インターバル撮影かを判断する判断手段を備え、
通常撮影の再生時は、前記タイムスタンプに前記撮影開始時刻を加算し、インターバル撮影の再生時は、前記タイムスタンプに前記設定情報を乗算したものに前記撮影開始時刻を加算し、前記インターバル撮影時の実時刻を表示することを特徴とする画像表示装置。
【請求項２】
ヘッダ領域に撮影開始時刻が記録され、前記ヘッダ領域の後にタイムスタンプが記録され、通常撮影時は前記ヘッダ領域に通常撮影のフラグが記録され、インターバル撮影時は前記ヘッダ領域にインターバル撮影の時間係数を示す設定情報が記録されたＡＳＦフォーマットに準拠した動画カメラの画像表示装置であって、
通常撮影か、インターバル撮影かを判断する判断手段を備え、
通常撮影の再生時は、前記タイムスタンプに前記撮影開始時刻を加算し、インターバル撮影の再生時は、前記タイムスタンプに前記設定情報を乗算したものに前記撮影開始時刻を加算し、前記インターバル撮影時の実時刻を報知することを特徴とする画像表示装置。
【請求項３】
ヘッダ領域に撮影開始時刻が記録され、前記ヘッダ領域の後にタイムスタンプが記録され、通常撮影時は前記ヘッダ領域に通常撮影のフラグが記録され、インターバル撮影時は前記ヘッダ領域にインターバル撮影の時間係数を示す設定情報が記録され、通常撮影か、インターバル撮影かを判断し、通常撮影の再生時は、前記タイムスタンプに前記撮影開始時刻を加算し、インターバル撮影の再生時は、前記タイムスタンプに前記設定情報を乗算したものに前記撮影開始時刻を加算し、撮影時の実時刻を表示するＡＳＦフォーマットに準拠した動画カメラの画像表示装置であって、
前記インターバル撮影時の実時刻表示と、前記タイムスタンプによる再生スタートからの時間表示との両表示あるいは片表示の２表示が可能なことを特徴とする画像表示装置。
【発明の詳細な説明】
【０００１】
【発明の属する技術分野】
本発明は、ＡＳＦフォーマットに準拠した動画カメラに係り、特に通常撮影された、またはインターバル撮影された画像の再生時に時刻表示をする画像表示装置に関する。
【０００２】
【従来の技術】
従来の技術について、図６乃至図１０に基づき以下説明する。
【０００３】
図６はＡＳＦフォーマットに準拠した動画カメラのブロック図、図７は制御部４０３の機能ブロック図、図８は通常撮影時、インターバル撮影時及び再生時の処理のフローチャート図であり、図８（ａ）は撮影時の処理フローチャート図、図８（ｂ）は再生時の処理フローチャート図、図９は記録媒体に記録されるデータフォーマットを示す図、図１０はディスプレイにおける従来の表示方法を示す図である。
【０００４】
図６を参照して、ＡＳＦフォーマットに準拠した動画カメラは、ＣＣＤ、ＡＧＣなどを含む画像入力部４０１、ＹＵＶ信号を生成する信号処理部４０２、システム全体を制御する制御装置４０３、ＤＭＡコントローラ４０４、メモリ４０５、キー入力などを扱うユーザーインターフェイス４０６、画像圧縮伸長部４０７、圧縮データをメディアに記録、読み出しする記録読み出し装置４０８、記録媒体４０９、表示部インターフェイス（ＩＦ）４１０、ディスプレイ４１１を備える。
【０００５】
図７は、図６における制御部４０３の機能ブロック図である。
【０００６】
この制御部４０３は、ヘッダーを作成するヘッダー作成部５０１、信号処理部４０２を制御するを信号処理制御部５０２、表示部ＩＦ４０６を制御する表示ＩＦ制御部５０３、ＤＭＡコントローラ４０４を制御するＤＭＡコントローラ制御部５０４、制御部４０３全体の制御を行うＣＰＵ５０５、記録読出し部４０８を制御する記録読出し制御部５０６、画像圧縮伸長部４０７を制御する画像圧縮伸長制御部５０７、ユーザーインターフェイス４０６を制御するユーザーインターフェイス制御部５０８、プログラムメモリ５０９を備える。
【０００７】
次に、図６及び図７に基づいて動作説明をする。
【０００８】
撮影時においては、図示せぬユーザによって、通常撮影とインターバル撮影とが選択され、選択されたデータが、ユーザーインターフェース４０６、制御部４０３に備えたユーザーインターフェース制御部５０８を経由して、ＣＰＵ５０５に入力され、入力されたデータに基づいて、撮影が行われる。
【０００９】
まず、撮影された被写体（図示せず）の光信号は画像入力部４０１に入力され、光電変換されてアナログ映像信号となり、ＡＧＣ等の処理を施され信号処理部４０２へ出力される。
【００１０】
信号処理部４０２に入力にされた映像信号は、Ａ／Ｄ変換されデジタル信号に変換されるとともに、ガンマ補正、フィルタリング、輪郭強調処理等の処理が施され、Ｙ（輝度）、Ｕ（赤の色差）、Ｖ（青の色差）信号が生成される。
【００１１】
制御部４０３は、内部に備えたＣＰＵ５０５がプログラムメモリ５０９のプログラムに基づいて、信号処理制御部５０２、ＤＭＡコントローラ制御部５０４を制御し、生成されたＹ、Ｕ、Ｖ信号をＤＭＡコントローラ５０４を介してメモリ４０５に記憶する。
【００１２】
次に、記憶されたデジタル映像信号は、ＤＭＡコントローラ４０４を介し画像圧縮伸長部４０７へ読み出され圧縮処理される。これは、ＣＰＵ５０５がＤＭＡコントローラ制御部５０４を制御することによって、ＤＭＡコントローラ４０４が制御され、また、ＣＰＵ５０５が画像圧縮伸長制御部５０７を介して画像圧縮伸長部４０７へ圧縮命令がなされることで行われる。
【００１３】
タイムスタンプは、この画像圧縮伸長部４０７で付加される。制御部４０３と画像圧縮伸長部４０７は圧縮・伸長開始などの制御信号及び、圧縮・伸長終了などの応答信号でやり取りを行う。
圧縮処理されたデータは、一旦メモリ４０５に記憶されたあと、制御部４０３のヘッダー生成部５０１により所定のフォーマットに従って、ヘッダー情報を付け加えられた後に、記録読出し部４０８に送られ記録媒体４０９に記録される。
【００１４】
この際の制御も制御部４０３により行われ、ＣＰＵ５０５の画像圧縮伸長制御部５０７、ＤＭＡコントローラ制御部５０４、ヘッダー生成部５０１、記録読出し制御部５０６の制御にて行われる。記録読出し部４０８は、記録読出し制御部５０６へ終了等のデータを通知する。
【００１５】
この時、図９に示すようにヘッダー情報には撮影開始時刻を記録し、通常撮影であればそれを示すフラグを記録する。
【００１６】
長い動画記録の場合は、数回に分けて圧縮が行われ、記録媒体に記録する時に、１つのファイルとして記録される。従ってヘッダーは、記録開始した際の一回目の圧縮でのみ付けられる。
【００１７】
また、同時に制御部４０３内部に備えたＣＰＵ５０５が表示ＩＦ制御部５０３を制御することで、表示インターフェイス（ＩＦ）４１０が制御され、信号処理部４０２より取り込まれたメモリ４０５上の画像は、表示インターフェイス（ＩＦ）４１０を介して、ディスプレイ４１１に表示される。
【００１８】
表示インターフェイス（ＩＦ）４１０は、ＯＳＤＣ（Ｏｎ  Ｓｃｒｅｅｎ  Ｄｉｓｐｌａｙ  Ｃｏｎｔｒｏｌ）機能を備えており、メモリ４０５上のＯＳＤ表示データ領域に表示したいデータを書き込むことで、ＯＳＤ表示ができる。
【００１９】
次に、再生時の動作説明をする。
【００２０】
記録媒体４０９に記録されているデータは、記録読出し部４０８により読み出され、ＤＭＡコントローラ４０４を介し、メモリ４０５に書き込まれる。この際の制御も制御部４０３により行われ、ＣＰＵ５０５のＤＭＡコントローラ制御部５０４、記録読出し制御部５０７の制御にて行われる。
【００２１】
次に、メモリ４０５から制御部４０３のＣＰＵ５０５にヘッダー情報が読みこまれ、記録されている撮影開始時刻と、通常撮影であれば通常撮影フラグの値が読まれる。
【００２２】
また、メモリ４０５に書き込まれた画像データは、メモリ４０５からＤＭＡコントローラ４０４を介して、圧縮伸長部４０７に送られ伸長処理され、再びメモリ４０５へ書き込まれる。このとき、伸長した画像のタイムスタンプ情報が、画像圧縮伸長部４０７より制御部４０３のＣＰＵ５０５に送られる。この際の制御も制御部４０３により行われ、ＣＰＵ５０５のＤＭＡコントローラ制御部５０４、画像圧縮伸長制御部５０７への制御にて行われる。
【００２３】
この際、伸長された画像のタイムスタンプ情報は、画像圧縮伸長部４０７から制御装置４０３に渡される。制御装置４０３は、そのタイムスタンプをＯＳＤ表示できる形式にしてメモリへ書き込む。次に、メモリ４０５からの伸長データ及びＯＳＤ表示データが、ＤＭＡコントローラ４０４、表示インターフェース４１０を介し、ディスプレイ４１１に送られ表示がなされる。
【００２４】
図８（ａ）は撮影時のフローチャート図であり、ユーザーにより通常撮影とインターバル撮影の選択が行われ（ステップＳ６０１）、それに従って記録を行う。通常撮影では、ヘッダー領域に撮影開始時刻を記録し（ステップＳ６０２）通常撮影としてフレームレート（画像数／秒）で記録する（ステップＳ６０３）。
【００２５】
インターバル撮影では、ヘッダー領域に撮影開始時刻を記録し（ステップＳ６０４）、いくつかの設定モードのうちからユーザーが選択した値に従って記録する（ステップＳ６０５）。例えば１０倍モードというのをユーザーが選択した場合は、撮影時の１０秒が再生時に１秒となるように撮影する。このとき再生モードのフレーム数は通常撮影時のフレーム数と同じとなるようにする。従って、通常モードのフレーム数が１０枚／秒であれば１秒に１枚の間隔で撮影することになる。
【００２６】
図８（ｂ）は再生時の処理フローチャート図であり、再生時にはタイムスタンプを読み込み、その時間に従って再生を行う（ステップＳ６０６）。それと同時にそのタイムスタンプを表示する（ステップＳ６０７）。そして、動画像再生終了までこの処理を繰り返す（ステップＳ６０８）。
【００２７】
図９に記録媒体に記録されるＡＳＦデータフォーマットの概略を示す。
【００２８】
ＡＳＦフォーマットでは、図に示すよう最初にヘッダー領域７０１があり、次にタイムスタンプ７０２、その後にその時刻に表示する画像のストリーム７０３が置かれている。
【００２９】
ヘッダー領域７０１には撮影開始時刻が記録され、記録の際にファイルの先頭に付加される。タイムスタンプ７０２は再生時に利用され、再生時の時間が記録されており、この時間に従って、その後ろに記録されている動画像の再生が行われる。
【００３０】
従って、通常撮影の場合にはこの時間スケールが、撮影した際の時間スケールと同じため、このタイムスタンプを表示することで、図１０に示すような、再生スタートからの時間表示８０１が可能である。しかし、タイムスタンプには実際の時間（日付、時間）は記録されておらず実時間表示はできない。
【００３１】
更に、ＡＳＦフォーマットに準拠した装置の表示においては、実際の表示に用いられてはいないが、仮に、ヘッダ領域の撮影開始時刻データを用いて、実時間表示をしようとしたとしても、撮影開始時刻が表示できるだけで実時間表示はできない。
【００３２】
また、１０秒間に一枚、あるいは１分間に１枚などのインターバル撮影を再生する場合には、この時間スケールにしたがって時間表示を行うと、数時間かかって撮影されたものでも再生時の時間スケールで表示が行われる。そのため、実際に撮影した事象が起きた時間を把握できない。
【００３３】
【発明が解決しょうとする課題】
従来においては、ＡＳＦフォーマットに準拠した動画カメラで、再生時に時間を表示する場合に、フォーマット内にあるタイムスタンプをそのまま用いるが、この方法では再生時の時間スケールと、撮影時の時間スケールはあっているが、再生開始からの再生時間しか表示されない。従い、再生画像を見る者にとっては、実際に撮影された事象が起こった時刻が表示されないという問題があった。
【００３４】
また、インターバル撮影された画像において、タイムスタンプを表示した場合には再生時間のスケールと撮影時の時間スケールが異なるため、特に実際の撮影された事象が起こった時刻が表示され表示されないという問題があった。
【００３５】
本発明はかかる課題に鑑み、これを解決した画像表示方法を提供するものである。
【００３７】
【課題を解決するための手段】
本発明は、ヘッダ領域に撮影開始時刻が記録され、前記ヘッダ領域の後にタイムスタンプが記録され、通常撮影時は前記ヘッダ領域に通常撮影のフラグが記録され、インターバル撮影時は前記ヘッダ領域にインターバル撮影の時間係数を示す設定情報が記録されたＡＳＦフォーマットに準拠した動画カメラの画像表示装置であって、通常撮影か、インターバル撮影かを判断する判断手段を備え、通常撮影の再生時は、前記タイムスタンプに前記撮影開始時刻を加算し、インターバル撮影の再生時は、前記タイムスタンプに前記設定情報を乗算したものに前記撮影開始時刻を加算し、前記インターバル撮影時の実時刻を表示することを特徴とする。
【００３８】
本発明は、ヘッダ領域に撮影開始時刻が記録され、前記ヘッダ領域の後にタイムスタンプが記録され、通常撮影時は前記ヘッダ領域に通常撮影のフラグが記録され、インターバル撮影時は前記ヘッダ領域にインターバル撮影の時間係数を示す設定情報が記録されたＡＳＦフォーマットに準拠した動画カメラの画像表示装置であって、通常撮影か、インターバル撮影かを判断する判断手段を備え、通常撮影の再生時は、前記タイムスタンプに前記撮影開始時刻を加算し、インターバル撮影の再生時は、前記タイムスタンプに前記設定情報を乗算したものに前記撮影開始時刻を加算し、前記インターバル撮影時の実時刻を報知することを特徴とする。
【００３９】
本発明は、ヘッダ領域に撮影開始時刻が記録され、前記ヘッダ領域の後にタイムスタンプが記録され、通常撮影時は前記ヘッダ領域に通常撮影のフラグが記録され、インターバル撮影時は前記ヘッダ領域にインターバル撮影の時間係数を示す設定情報が記録され、通常撮影か、インターバル撮影かを判断し、通常撮影の再生時は、前記タイムスタンプに前記撮影開始時刻を加算し、インターバル撮影の再生時は、前記タイムスタンプに前記設定情報を乗算したものに前記撮影開始時刻を加算し、撮影時の実時刻を表示するＡＳＦフォーマットに準拠した動画カメラの画像表示装置であって、前記インターバル撮影時の実時刻表示と、前記タイムスタンプによる再生スタートからの時間表示との両表示あるいは片表示の２表示が可能なことを特徴とする。
【００４０】
【発明の実施の形態】
本発明の一実施形態について、図１乃至図５に基づき以下説明する。図１は、本発明のＡＳＦフォーマットに準拠した動画カメラの制御部１００の機能ブロック図、図２は通常撮影時、インターバル撮影時及び再生時の処理のフローチャート図であり、図２（ａ）は撮影時の処理フローチャート図、図２（ｂ）は再生時の処理フローチャート図、図３は記録媒体に記録されるデータフォーマットを示す図、図４は本発明のディスプレイでの表示を示す図、図５は本発明のＡＳＦフォーマットに準拠した動画カメラの構成を示すブロック図である。
【００４１】
なお、本発明の動画カメラの構成と従来の構成との異なる構成は、従来の制御部４０３に変わって新たに制御部１００に変わったことであり、その他は同じである。
【００４２】
図１を参照して、本発明の制御部１００は、ヘッダーを作成するヘッダー作成部１０１、信号処理部４０２を制御するを信号処理制御部１０２、表示部ＩＦ４１０を制御する表示ＩＦ制御部１０３、ＤＭＡコントローラ４０４を制御するＤＭＡコントローラ制御部１０４、制御部１００全体の制御を行うＣＰＵ１０５、記録読出し部４０８を制御する記録読出し制御部１０６、画像圧縮伸長長部４０７を制御する画像圧縮伸長制御部１０７、ユーザーインターフェイス４０６を制御するユーザーインターフェイス制御部１０８、プログラムメモリ１０９、再生時に実時刻を演算する実時刻演算部１１０を備える。
【００４３】
ここで、信号処理制御部１０２、表示ＩＦ制御部１０３、ＤＭＡコントローラ制御部１０４、記録読出し制御部１０６、画像圧縮伸長制御部１０７、ユーザーインターフェイス制御部１０８は従来と同機能である。
【００４４】
次に、図１及び図５を参照して動作説明をする。
【００４５】
撮影時においては、図示せぬユーザによって、通常撮影とインターバル撮影とが選択され、選択されたデータが、ユーザーインターフェース４０６、制御部１００に備えたユーザーインターフェース制御部１０８を経由して、ＣＰＵ１０５に入力され、入力されたデータに基づいて、撮影が行われる。
【００４６】
まず、撮影された被写体（図示せず）の光信号は画像入力部４０１に入力され、光電変換されてアナログ映像信号となり、ＡＧＣ等の処理を施され、信号処理部４０２へ出力にされる。
【００４７】
信号処理部４０２に入力にされた映像信号は、Ａ／Ｄ変換されデジタル信号に変換されるとともに、ガンマ補正、フィルタリング、輪郭強調処理等の処理が施され、Ｙ（輝度）、Ｕ（赤の色差）、Ｖ（青の色差）信号が生成される。
【００４８】
制御部１００は、内部に備えたＣＰＵ１０５がプログラムメモリ１０９のプログラム基づいて、信号処理制御部１０２、ＤＭＡコントローラ制御部１０４を制御し、生成されたＹ、Ｕ、Ｖ信号をＤＭＡコントローラ１０４を介してメモリ４０５に記憶する。
【００４９】
次に、記憶されたデジタル映像信号は、ＤＭＡコントローラ４０４を介し画像圧縮伸長部４０７へ読み出され圧縮処理される。これは、ＣＰＵ１０５がＤＭＡコントローラ制御部１０４を制御することによって、ＤＭＡコントローラ４０４が制御され、また、ＣＰＵ１０５が画像圧縮伸長制御部１０７を介して画像圧縮伸長部４０７へ圧縮命令がなされることで行われる。
【００５０】
タイムスタンプは、この画像圧縮伸長部４０７で付加される。制御装置１００と画像圧縮伸長部４０７は圧縮・伸長開始などの制御信号及び、圧縮・伸長終了などの応答信号でやり取りを行う。
【００５１】
圧縮処理されたデータは、一旦メモリ４０５に記憶され、フォーマットに従って制御部１００のヘッダー生成部１０１により生成されたヘッダー情報を付け加えられた後に、記録読出し装置４０８に送られ記録媒体４０９に記録される。
【００５２】
この際の制御も制御部１００により行われ、ＣＰＵ１０５の画像圧縮伸長制御部１０７、ＤＭＡコントローラ制御部１０４、ヘッダー生成部１０１、記録読出し制御部１０７の制御にて行われる。記録読出し装置４０８は、記録読出し制御部１０７へ終了等のデータを通知する。
【００５３】
この時、図３に示すようにヘッダー情報には撮影開始時刻を記録し、さらにインターバル撮影であればユーザーからの設定情報（時間係数）を、通常撮影であればそれを示すフラグを記録する。インターバル撮影時に記録する設定情報（時間係数）は、１０倍、４０倍、１００倍などの値であり、これはそれぞれ撮影時の１０秒を１秒、４０秒を１秒、１００秒を１秒として再生するモードであることを示す。
【００５４】
長い動画記録の場合は、数回に分けて圧縮が行われ、記録媒体に記録する時に、１つのファイルとして記録される。従って、ヘッダーは記録開始した際の一回目の圧縮でのみ付加される。また、同時に制御装置１００内部に備えたＣＰＵ１０５が表示ＩＦ制御部１０３を制御することで、表示インターフェイス（ＩＦ）４１０が制御され、信号処理部４０２より取り込まれたメモリ４０５上の画像は、表示インターフェイス（ＩＦ）４１０を介して、ディスプレイ４１１に表示される。
【００５５】
次に、再生時の動作説明をする。
【００５６】
記録媒体４０９に記録されているデータは、記録読出し部４０８により読み出され、ＤＭＡコントローラ４０４を介し、メモリ４０５に書き込まれる。この際の制御も制御部１００により行われ、ＣＰＵ１０５のＤＭＡコントローラ制御部１０４、記録読出し制御部１０６の制御にて行われる。
【００５７】
次に、メモリ４０５に書き込まれたデータより、制御部１００のＣＰＵ１０５を介して実時刻演算部１１０にヘッダー情報が読みこまれ、記録されている撮影開始時刻と、インターバル撮影であれば１０倍、４０倍、１００倍などの設定情報が読み出され、通常撮影であれば通常撮影フラグの値が読まれる。
【００５８】
また、メモリ４０５に書き込まれた画像データは、メモリ４０５からＤＭＡコントローラ４０４を介して、圧縮伸長部４０７に送られ伸長処理され、再びメモリ４０５へ書き込まれる。このとき、伸長した画像のタイムスタンプ情報が、画像圧縮伸長部４０７より制御部１００のＣＰＵ１０５を介して実時刻演算部１１０に送られる。この際の制御も制御部１００により行われ、ＣＰＵ１０５のＤＭＡコントローラ制御部１０４、画像圧縮伸長制御部１０７、実時刻演算部１１０への制御にて行われる。
【００５９】
制御装置１００は、インターバル撮影であれば、実時刻演算部１１０により、タイムスタンプに設定情報を乗算し、撮影開始時刻を加算することで、実時刻を計算する。通常撮影であれば、タイムスタンプに撮影開始時刻を加算することで実時間を計算する。そして実時刻及びタイムスタンプ情報をそのまま、ＯＳＤＣ表示データの形式でメモリ４０５に書き込む。こうすることで、再生スタートからの時間と実時刻時間の両者を表示することができる。
【００６０】
また、ユーザーインターフェース４０６、ユーザーインターフェース制御部１０９、ＣＰＵ１０５、ＤＭＡコントローラ制御部１０４、ＤＭＡコントローラ４０４の経由で送られてくるユーザーの選択データにより、一方を消すようにＯＳＤＣのデータ形式をメモリに書き込めば、片方の表示を行うように変更することも可能である。
【００６１】
その後、メモリ４０５上の伸長結果とＯＳＤ表示データとを、ＤＭＡコントローラ４０４を介し、表示インターフェース４１０に送ることでディスプレイ４１１に再生動画像と再生スタートからの時間、実時刻の表示を行う。この制御も制御部１００により行われ、ＣＰＵ１０５のＤＭＡコントローラ制御部１０４、表示ＩＦ制御部１０３への制御にて行われる。
【００６２】
図２（ａ）は、撮影時の処理フローであり、通常撮影が選択された場合には（ステップＳ２０１）、ヘッダー領域に通常撮影フラグ及び撮影開始時刻を記録し（ステップＳ２０２）、通常撮影を行う（ステップＳ２０３）。インターバル撮影が選択された場合（ステップＳ２０１）には、その時間係数の記録と撮影開始時刻を記録し（ステップＳ２０４）、インターバル撮影を行う。先の例では、１０倍、４０倍、１００倍などのインターバル撮影モードがあるが、この場合には記録するデータは、それぞれ１０、４０、１００となる。
【００６３】
図２（ｂ）は再生時の処理フローを示している。再生が開始されると、まずインターバル撮影かどうかの判断をするため設定情報をチェックする（ステップＳ２０６）。この設定情報は、インターバル撮影であれば、先の例のように時間係数１０、４０、１００などの数字が入っている。
【００６４】
これが通常撮影フラグの場合は、インターバル撮影ではないと判断され（ステップＳ２０６）、圧縮された画像を伸長し（ステップＳ２０７）、タイムスタンプに撮影開始時刻を加算（ステップＳ２０８）して実時刻を計算する。そして、タイムスタンプを再生スタートからの時間、計算結果を実時刻として表示する。インターバル撮影と判断された場合には（ステップＳ２０６）、圧縮画像を伸長し（ステップＳ２１１）、タイムスタンプを読み出すたびにそれに設定情報にある時間係数を乗算し撮影開始時刻を加算し、実時刻を計算する（ステップＳ２１２）。そしてタイムスタンプをそのまま再生時間表示すると同時に、計算した実時刻をその結果を表示する（ステップＳ２１３）。それぞれの処理は終了するまで繰り返される（ステップＳ２１０、ステップＳ２１４）。
【００６５】
図３は、記録媒体４０９に記録されるデータフォーマットを示す図であり、３０１はヘッダー領域で、その一部の領域に通常記録される撮影開始時刻及び本発明による設定情報（時間係数）が記録される。３０２はタイムスタンプ領域、３０３はフレーム画像データ領域である。
【００６６】
図４は本発明での表示方法を示すもので、再生スタートからの再生時間表示８０２と撮影時の実時刻表示８０３とが表示可能となる。
【００６７】
なお、以上の説明において、実時刻を表示するもので説明したが、表示に変えて、音声等で報知してもよい。
【００６８】
以上説明したように、本発明はＡＳＦフォーマットの動画像再生における通常撮影及びインターバル撮影において、実時刻の表示が可能となるよう構成するものである。
【００６９】
通常撮影された画像を再生する場合においては、ＡＳＦフォーマットのヘッダー領域にある撮影開始時刻に、タイムスタンプの値を加算することで実時刻を求め、これを表示するものである。
【００７０】
また、インターバル撮影された画像を表示する際には、あらかじめインターバル撮影の際に、ヘッダー領域に記録しておいた設定情報（時間係数）をタイムスタンプに乗算し、撮影開始時刻を加算することにより実時刻を求め、これを表示するものである。これにより、ディスプレイ上に実時刻を表示することができ、再生画像を見る者が被写体に変化が起きた時刻を正確に把握できるようにするものである。
【００７２】
【発明の効果】
本発明の画像表示装置によれば、ＡＳＦフォーマットで通常撮影記録された画像及びインターバル撮影記録された画像を再生して見る者が、撮影の際の実時刻を知ることができ、被写体の変化が起きた時間を正確に把握できるデータを再生し、撮影の際の実時刻を表示することができる画像表示装置を実現できる。
【００７３】
本発明の画像表示装置によれば、ＡＳＦフォーマットで通常撮影記録された画像及びインターバル撮影記録された画像を再生して見る者が、撮影の際の実時刻を知ることができ、被写体の変化が起きた時間を正確に把握できるデータを再生し、撮影の際の実時刻を報知することができる画像表示装置を実現できる。
【００７４】
本発明の画像表示装置によれば、ＡＳＦフォーマットで通常撮影記録された画像及びインターバル撮影記録された画像を再生して見る者が、撮影の際の実時刻を知ることができ、被写体の変化が起きた時間を正確に把握できるデータを再生し、撮影の際の実時刻の表示と再生スタートからの時間表示との両表示あるいは方表示の２表示が可能な画像表示装置を実現できる。
【図面の簡単な説明】
【図１】本発明のＡＳＦフォーマットに準拠した動画カメラの制御部の構成を示す機能ブロック図である。
【図２】本発明の通常撮影時、インターバル撮影時及び再生時の処理のフローチャート図であり、図２（ａ）は撮影時の処理フローチャート図、図２（ｂ）は再生時の処理フーチャート図である。
【図３】本発明の記録媒体に記録されるデータフォーマットを示す図である。
【図４】本発明の表示を示す図である。
【図５】本発明のＡＳＦフォーマットに準拠した動画カメラの構成を示すブロック図である。
【図６】従来のＡＳＦフォーマットに準拠した動画カメラの構成を示すブロック図である。
【図７】従来のＡＳＦフォーマットに準拠した動画カメラの制御部の構成を示す機能ブロック図である。
【図８】従来の通常撮影時、インターバル撮影時及び再生時の処理のフローチャート図であり、図８（ａ）は撮影時の処理フローチャート図、図８（ｂ）は再生時の処理フーチャート図である。
【図９】従来の記録媒体に記録されるデータフォーマットを示す図である。
【図１０】従来の表示を示す図である。
【符号の説明】
１００  制御部
１０１  ヘッダー生成部
１０２  信号処理制御部
１０３  表示ＩＦ制御部
１０４  ＤＭＡコントローラ制御部
１０５  ＣＰＵ
１０６  記録読出し制御部
１０７  画像圧縮伸長制御部
１０８  プログラムメモリ
１０９  ユーザーインターフェイス制御部
１１０  実時刻演算部
【図１】
0003586580.tif 000002
【図２】
0003586580.tif 000003
【図３】
0003586580.tif 000004
【図４】
0003586580.tif 000005
【図５】
0003586580.tif 000006
【図６】
0003586580.tif 000007
【図７】
0003586580.tif 000008
【図８】
0003586580.tif 000009
【図９】
0003586580.tif 000010
【図１０】
0003586580.tif 000011